(57)【要約】【課題】多様な演出効果を得ることが可能であるとともに、ケーブルの収納や接続が円滑に行えるケーブル処理システムを提供することを目的とする。【解決手段】本発明は、演出用空間の上部に設置された構造体１から吊下げられた複数の昇降バトン２と、この昇降バトン２の任意の位置に着脱可能に取付けられる電気機器９と、この電気機器９に接続されるケーブル６が収納され、電気機器９が取付けられる昇降バトン２の配設位置に対応して構造体１側に設置可能なケーブル収納手段５と、前記昇降バトン２に設けられ、前記ケーブル収納手段５に収納されたケーブル６の先端側が係止しされるケーブル係止手段１０とを備えるケーブル処理システムである。【選択図】図１
2010140686.tif 000002
【特許請求の範囲】
【請求項１】
演出用空間の上部に設置された構造体から吊下げられた複数の昇降バトンと；
この昇降バトンの任意の位置に着脱可能に取付けられる電気機器と；
この電気機器に接続されるケーブルが収納され、電気機器が取付けられる昇降バトンの配設位置に対応して構造体側に設置可能なケーブル収納手段と；
前記昇降バトンに設けられ、前記ケーブル収納手段に収納されたケーブルの先端側が係止しされるケーブル係止手段と；
を具備することを特徴とするケーブル処理システム。
【請求項２】
前記ケーブル係止手段は、昇降バトンの昇降動作に際し、ケーブルと電気機器との接続部に張力が作用しないようにケーブルの先端から所定長さの部分を係止することを特徴とする請求項１に記載のケーブル処理システム。
【請求項３】
前記ケーブル収納手段は、ケーブルを巻き取るリールを備えており、当該リールは、常時ケーブルを巻き取る方向に回転力が付与されていることを特徴とする請求項１又は請求項２に記載のケーブル処理システム。
【請求項４】
演出用空間には複数の昇降バトンが所定の間隔で平行して構造体から吊下げられており、前記構造体側であって、昇降バトンの長手方向と直交する方向にケーブル収納手段が移動可能なガイドレールが設けられていることを特徴とする請求項１乃至請求項３のいずれか一に記載のケーブル処理システム。
【発明の詳細な説明】
【技術分野】
【０００１】
本発明は、演出空間に設置された昇降バトンの任意の位置に取付け可能な電気機器を備えるケーブル処理システムに関する。
【背景技術】
【０００２】
一般に、劇場の舞台やスタジオ等の演出空間においては、照明器具、幕類、看板等のいわゆる吊り物を吊下げるための昇降バトンが演出空間の奥行き方向に所定の間隔で多数設置されている。そして、これら昇降バトンのうち、照明器具が吊下げられる照明バトンが適宜選定され、専用のバトンとして用いられている。
【０００３】
従来、照明バトンに複数台の照明器具を配置し、照明バトンにボーダーケーブルによって電源を供給し、照明バトンの上昇時に弛んだボーダーケーブルを収納する受け籠を照明バトンの上方に設けたものやボーダーケーブルを巻き取るケーブルリールを採用して受け籠を省略したものがある（特許文献１参照）。また、多様な演出効果を得るため、バトンに取付けることができるとともに、その吊下げ位置を自由に選択でき、相互に連結・分離可能に形成されたライトブリッジフレームを有する舞台用ライトブリッジが提案されている（特許文献２参照）。
【特許文献１】特開２００７−２９４１９２号公報
【特許文献２】特開平９−２６５８０４号公報
【発明の開示】
【発明が解決しようとする課題】
【０００４】
しかしながら、特許文献１には、ボーダーケーブルの処理方法が示されているが、照明バトンに固定的に照明器具が配置されているものであり、その位置が変更できないため、照明器具が配置されていない位置から対象物にスポット光を照射する必要が生じた場合に対応することができず、多様な演出照明効果を得ることが困難となるものである。一方、特許文献２には、多様な演出照明効果を得るため、吊下げ位置を自由に選択できるライトブリッジフレームが示されているが、ここには、ライトブリッジフレームに接続されるケーブルの処理について何ら具体的な開示がされていない。
【０００５】
本発明は、上記課題に鑑みなされたもので、昇降バトンの任意の位置に取付け可能な電気機器を備え、多様な演出効果を得ることが可能であるとともに、ケーブルの収納や接続が円滑に行えるケーブル処理システムを提供することを目的とする。
【課題を解決するための手段】
【０００６】
請求項１に記載のケーブル処理システムは、演出用空間の上部に設置された構造体から吊下げられた複数の昇降バトンと；この昇降バトンの任意の位置に着脱可能に取付けられる電気機器と；この電気機器に接続されるケーブルが収納され、電気機器が取付けられる昇降バトンの配設位置に対応して構造体側に設置可能なケーブル収納手段と；前記昇降バトンに設けられ、前記ケーブル収納手段に収納されたケーブルの先端側が係止しされるケーブル係止手段と；を具備することを特徴とする。
【０００７】
本発明及び以下の発明において、特に指定しない限り用語の定義及び技術的意味は次による。ケーブルとは、電源ケーブルや信号ケーブル等をいい、電気機器とは、これらケーブルが接続される機器をいう。例えば、分岐器、制御機器、調光器、照明器具等であるが格別これらに限定されるものではない。ケーブル収納手段は、構造体側に電気機器を取付けることが可能な昇降バトンに対応して設置可能であればよく、その設置手段を特に問うものではない。例えば、構造体が昇降バトンの吊下げワイヤを挿通するすのこ状の天井材の場合、この天井材の上面に着脱可能に配置するようにしてもよく、また、構造体にガイドレールを設けて、これに沿って移動できるようにしてもよい。ケーブルの先端側とは、ケーブルの先端部、例えば、コネクタが設けられている部分を含み、先端部から所定の長さの部分を含む主旨である。
【０００８】
請求項２に記載のケーブル処理システムは、請求項１に記載のケーブル処理システムにおいて、前記ケーブル係止手段は、昇降バトンの昇降動作に際し、ケーブルと電気機器との接続部に張力が作用しないようにケーブルの先端から所定長さの部分を係止することを特徴とする。
【０００９】
請求項３に記載のケーブル処理システムは、請求項１又は請求項２に記載のケーブル処理システムにおいて、前記ケーブル収納手段は、ケーブルを巻き取るリールを備えており、当該リールは、常時ケーブルを巻き取る方向に回転力が付与されていることを特徴とする。
【００１０】
請求項４に記載のケーブル処理システムは、請求項１乃至請求項３のいずれか一に記載のケーブル処理システムにおいて、演出用空間には複数の昇降バトンが所定の間隔で平行して構造体から吊下げられており、前記構造体側であって、昇降バトンの長手方向と直交する方向にケーブル収納手段が移動可能なガイドレールが設けられていることを特徴とする。
【発明の効果】
【００１１】
請求項１に記載の発明によれば、昇降バトンの任意の位置に電気機器を取付けることができ、多様な演出効果を得ることが可能であるとともに、ケーブルの収納や接続が円滑に行えるケーブル処理システムを提供することができる。
【００１２】
請求項２に記載の発明によれば、請求項１に記載の発明の効果に加え、ケーブルと電気機器との接続部に張力が作用することを回避でき接続状態を確実に保つことができる。
【００１３】
請求項３に記載の発明によれば、前記各請求項に記載の発明の効果に加え、昇降バトンの昇降動作時において、ケーブルが弛むことなくケーブル収納手段に収納される。
【００１４】
請求項４に記載の発明によれば、前記各請求項に記載の発明の効果に加え、ケーブル収納手段の移動作業が容易となる。
【発明を実施するための最良の形態】
【００１５】
以下、本発明の第１の実施形態に係るケーブル処理システムについて図１乃至図６を参照して説明する。図１は、ケーブル処理システムを示す概略構成図、図２は、同平面図、図３乃至図６は、同ケーブルの接続工程を示す概略構成図、図７は、ケーブル係止手段を示す斜視図及び側断面図である。
【００１６】
図１において、調光室に設置された調光操作器１０は、複数の入力手段を有し、この入力手段から入力された操作レベル情報を例えば、ＤＭＸ信号として調光機械室に設置された調光盤２０に送出する。ＤＭＸ信号は、米国劇場技術協会（ＵＳＩＴＴ）が規格化した演出分野等に用いられるディジタル信号であり、調光制御用の調光信号の規格として用いられるＤＭＸ５１２を示している。
【００１７】
調光盤２０には、複数の調光器２１が設けられており、これら調光器２１には、交流電源ＡＣが接続されている。各調光器２１には、舞台やスタジオに設置されて、演出照明を行うスポットライト等の照明負荷が接続されるようになっており、これら、照明負荷には、調光器２１から調光制御信号によって制御された調光電圧が供給される。
【００１８】
次に、図１及び図２に示すように、演出空間である舞台やスタジオには、天井側に構造体１としてすのこ又はグリッド等の天井材が設置されている。この構造体１には、例えば、演出空間の奥行き方向に所定の間隔で平行して多数の昇降バトン２が複数本のワイヤ３で吊下げられている。この昇降バトン２は、構造体１の上方の天井面に設けられた図示しない滑車を通してワイヤ３が電動巻上機に巻き取られるようになっており、これによって、昇降バトン２は、上下に昇降可能となっている。
【００１９】
このような演出空間の設備を前提として、昇降バトン２の任意の位置に、給電を必要とする電気機器として分岐器等を着脱可能に取付け、この分岐器に照明器具を接続して最適な照明効果を得るようにする。
【００２０】
図２に示すように、構造体１の上面には、昇降バトン２と直交する方向に複数のガイドレール４が敷設されている。このガイドレール４には、１レールあたり４台のケーブル収納手段５がガイドレール４に沿って移動可能に設置されている。ケーブル収納手段５は、ボーダーケーブル６を収納するものであり、ケーブル６を巻き取るリールを備えており、このリールには、常時、ケーブル６を巻き取る方向にばね部材等によって回転力が付与されている。また、ケーブル６の先端部には、給電コネクタ６１が設けられている。
【００２１】
さらに、構造体１の上面であって、各ガイドレール４の近傍には、各昇降バトン２と略一致する位置に、コネクタボックス７が配設されている。このコネクタボックス７には、ガイドレール４に設置されたケーブル収納手段５から導出された接続ケーブル５１が接続されるようになっており、その結果、ボーダーケーブル６がコネクタボックス７に電気的に接続される。さらにまた、構造体１の上面には、調光器２１に接続された接続端子ボックス８が設けられており（図１参照）、この接続端子ボックス８にコネクタボックス７が図示しない電力ケーブルで接続されている。したがって、調光器２１、接続端子ボックス８、コネクタボックス７を経由してケーブル収納手段５内のボーダーケーブル６、さらには、給電コネクタ６１に給電されるようになっている。
【００２２】
このように構成されたケーブル収納手段５は、図１に示すように、昇降バトン２の任意の位置に取付けられた電気機器、例えば、分岐器９に対応した位置に設置されている。分岐器９は、昇降バトン２上に着脱可能に取付けられるもので、ボーダーケーブル６の給電コネクタ６１と接続される受電コネクタ９１を有し、複数のコンセント９２を備えている。このコンセント９２には、昇降バトン２に吊り下げられるスポットライト等の照明器具が接続される。
【００２３】
昇降バトン２の上方に取付けられた各分岐器９の近傍には、ケーブル係止手段１０が取付けられている。図７（ａ）に示すように、ケーブル係止手段１０は、アーム状をなし支持脚部１１及び正面視、コ字状の頭部１２から構成されている。そして、頭部１２の両側壁間には、両側壁に亘って円柱状の係止桿１３が設けられている。
【００２４】
以上のような構成において、ボーダーケーブル６の接続工程を説明する。まず、図３に示すように、電気機器としての分岐器９を取付ける対象の任意の昇降バトン２が床面近くまで下げられて各分岐器９の取付け位置に対応して、ケーブル係止手段１０が取付けられる。このケーブル係止手段１０は、昇降バトン２に常時固定されていてもよく、任意の昇降バトン２に着脱となっていてもよい。
【００２５】
この状態から、図４に示すように、昇降バトン２をすのこ状の天井材からなる構造体１近くまで上昇させる。この場合、ケーブル係止手段１０の頭部１２は、構造体１の上面側に突出した状態となる。次いで、ケーブル収納手段５をガイドレール４に沿ってケーブル係止手段１０の近くまで移動し、ケーブル収納手段５からボーダーケーブル６の先端側、つまり、給電コネクタ６１側を所定長さ引き出し、ケーブル係止手段１０に係止する。この係止は、図７（ｂ）に示すように、ケーブル６の給電コネクタ６１側を係止桿１３を巻回するように通し、ケーブル６の巻回部分を束ねるように留金１４で挟着固定することにより行われる。続いて、ケーブル収納手段５から導出されている接続ケーブル５１をコネクタボックス７に接続する。
【００２６】
次に、図５に示すように、昇降バトン２を床面近くまで下降させる。このとき、ケーブル６には、ケーブル収納手段５によりケーブル６を巻き取る方向に力が付与されているが、ケーブル係止手段１０によって、ケーブル６の先端側、すなわち、給電コネクタ６１側から所定長さの部分が係止されているので、その力は、係止部分で受け止められ給電コネクタ６１に及ぶことはない。そして、分岐器９を昇降バトン２上に取付け、ケーブル６の給電コネクタ６１と分岐器９の受電コネクタ９１とを接続する。図６に示すように、この接続が完了した状態で、昇降バトン２に図示しない照明器具が吊り下げられ、分岐器９のコンセント９２に接続される。
【００２７】
このような設置状態において、昇降バトン２は、上下に昇降操作することが可能である。この場合、ケーブル６は、昇降バトン２の昇降に伴い、ケーブル収納手段５により巻き取られ、また、巻き戻しされて収納されるようになっている。さらに、ケーブル６は、ケーブル係止手段１０によって給電コネクタ６１側から所定長さの部分が係止されているので、昇降バトン２の昇降動作により、給電コネクタ６１と受電コネクタ９１との接続部に、これらを離脱する方向の力が直接作用することはない。したがって、ケーブル係止手段１０は、初期においてケーブル収納手段５に収納されたケーブル６を構造体１の上方で係止した後、床面近くまで下降させて分岐器９に接続する機能と（図５参照）、給電コネクタ６１と受電コネクタ９１との接続部に張力を作用させない機能とを併せ持っている。
【００２８】
なお、上述の説明においては、電気機器として分岐器９を例にとり説明したが、分岐器９を経由せずに、電気機器として直接照明器具をケーブル６に接続するようにしてもよい。
【００２９】
以上のように本実施形態によれば、任意の昇降バトン２に電気機器を取付けることができるので、演出内容に合わせ最適な位置から最適な照明効果を得ることが可能となり、演出性の高い照明を行うことができる。また、この場合、ケーブル６の接続、収納処理を円滑に行うことができ、さらに、ケーブル６は、ケーブル係止手段１０によって係止されるので、昇降バトン２の昇降動作に伴い、給電コネクタ６１と受電コネクタ９１との接続部に張力が作用することを回避でき、接続部の接続状態を確実に保つことができる。
【００３０】
次に、本発明の第２の実施形態に係るケーブル処理システムについて図８及び図９を参照して説明する。図８は、ケーブル処理システムを示す平面図、図２は、同概略構成図である。なお、第１の実施形態と同一又は相当部分には同一符号を付し重複した説明は省略する。本実施形態では、構造体１の上面に敷設された複数のガイドレール４のうち、１つのレールに調光信号ケーブル６ａを収納するケーブル収納手段５ａを設置したものであり、他のケーブル収納手段５ｂには、電源ケーブル６ｂを収納したものである。したがって、ケーブル収納手段５ａに対応するコンセントボックス７ａには、調光制御信号が送出され、ケーブル収納手段５ｂに対応するコンセントボックス７ｂには、電源電圧が供給されるようになっている。
【００３１】
図９に示すように、昇降バトン２上には、ケーブル収納手段５ａに対応する位置に分岐器９ａ及び小形の調光器２１ａが取付けられている。そして、分岐器９ａから信号線が調光器２１ａに接続されている。一方、電源が供給される分岐器９ｂから電源線が調光器２１ａに接続され、昇降バトン２に吊り下げられた照明器具Ｌに調光器２１ａから給電されるようになっている。したがって、本実施形態においては、電気機器としては、分岐器９ａ、９ｂ、調光器２１ａが該当することとなる。なお、電気機器は、例えば、昇降バトン２に取付け可能で電源を要し、演出用に煙を発生するスモーク機器等であってもよい。さらに、調光制御信号は、無線で送信するようにしてよく、この場合は、ケーブル収納手段５ａを省略することができる。
【００３２】
以上のように本実施形態によれば、第１の実施形態と同様な効果に加え、信号ケーブル６ａや電源ケーブル６ｂのケーブル処理を円滑に行うことができる。また、電気機器としては、電源を必要とする機器であれば適用可能となる。
【００３３】
本発明は、上記各実施形態の構成に限定されることなく、発明の要旨を逸脱しない範囲で種々の変形が可能である。例えば、ケーブル係止手段１０は、初期においてケーブル収納手段５に収納されたケーブル６を構造体１の上方で係止した後、床面近くまで下降させて分岐器９に接続する機能のみを有するように構成してもよい。つまり、ケーブル６を分岐器９に接続するため、昇降バトン２を構造体１近くまで上げ（図４参照）、ここで、ケーブル６をケーブル係止手段１０に仮止めし、この状態で昇降バトン２を下降させてケーブル６を床面近くまで下降させ（図５参照）、分岐器９に接続し、その後は、仮止めを解き、給電コネクタ６１と受電コネクタ９１との接続部に張力を作用させない機能は、分岐器９側の構成で対処するようにしてもよい。特に、ケーブル収納手段５に、常時ケーブル６を巻き取る方向に力を付与させない場合には、このような構成で足りる。
【００３４】
上記実施形態のような構造体１の上面にガイドレール４を敷設することが好ましいが、ガイドレール４は、当該ガイドレール４に固定的に設置された１つのケーブル収納手段５を他のケーブル収納手段５が迂回して移動可能なようにバイパスレールを付設するのがさらに好ましい。ガイドレール４は、必ずしも必要ではなく、構造体１の上側で移動可能であればよい。例えば、構造体１の上方に設けられた建築構造物の天井面にケーブル収納手段５を吊下げて、このケーブル収納手段５を天井面に沿って移動可能に構成してもよく、また、構造体１に着脱できるように配置してもよい。
【図面の簡単な説明】
【００３５】
【図１】本発明の第１の実施形態に係るケーブル処理システムを示す概略構成図である。
【図２】同平面図である。
【図３】同ケーブルの接続工程を示す概略構成図である。
【図４】同じく、ケーブルの接続工程を示す概略構成図である。
【図５】同じく、ケーブルの接続工程を示す概略構成図である。
【図６】同じく、ケーブルの接続工程を示す概略構成図である。
【図７】ケーブル係止手段を示す斜視図及び側断面図である。
【図８】本発明の第２の実施形態に係るケーブル処理システムを示す平面図である。
【図９】同概略構成図である。
【符号の説明】
【００３６】
１・・・構造体、２・・・昇降バトン、４・・・ガイドレール、
５・・・ケーブル収納手段、６・・・ケーブル、９・・・電気機器、
１０・・・ケーブル係止手段
【図１】
2010140686.tif 000003
【図２】
2010140686.tif 000004
【図３】
2010140686.tif 000005
【図４】
2010140686.tif 000006
【図５】
2010140686.tif 000007
【図６】
2010140686.tif 000008
【図７】
2010140686.tif 000009
【図８】
2010140686.tif 000010
【図９】
2010140686.tif 000011